(57)【特許請求の範囲】
【請求項１】
コンクリート製品の底面に、一端に形成された挿入孔を外方に臨ませて埋設される挿入体と、
一端に上記コンクリート製品に埋設された上記挿入体の挿入孔より螺入されるねじ部が形成され、他端に、上記コンクリート製品が配設される支持基盤又は当該支持基盤上に配設されたベース板に点接触される略円弧状の接触部が形成され、上記ねじ部と上記接触部との間に、回転操作することにより上記ねじ部を上記挿入孔に対して進退させる回転操作部が形成され、上記コンクリート製品を支持する支持部材と、
上記支持部材の他端部に配設され、上記接触部が上記支持基盤又は上記ベース板に対して滑ることを防止する滑り防止部材とを備え、
上記支持部材は、上記ねじ部が上記挿入孔に螺合された状態で、回転操作されることにより、上記略円弧状の接触部が上記支持基盤又は当該支持基盤上に配設されたベース板に点接触され、次いで上記滑り防止部材が回転操作されることにより上記支持基盤又は上記ベース板に圧接されて、上記コンクリート製品の高さを固定することを特徴とするコンクリート製品の高さ固定器具。
【請求項２】
上記挿入体の他端側には、上記コンクリート製品より上記挿入体が脱落することを防止する脱落防止部が形成されていることを特徴とする請求項１記載のコンクリート製品の高さ固定器具。
【請求項３】
コンクリート製品の底面に、一端に形成された挿入孔を外方に臨ませて埋設される挿入体と、一端に上記挿入孔より螺入されるねじ部が形成され、他端に上記コンクリート製品が設置される支持基盤又は当該支持基盤上に配設されたベース板に、点接触される略円弧状の接触部が形成され、上記ねじ部と上記支持基盤との間に、回転操作することにより上記ねじ部を上記挿入孔に対して進退させる回転操作部が形成され、上記コンクリート製品を支持する支持部材と、上記支持部材の他端部に配設され、上記接触部が上記支持基盤又は上記ベース板に対して滑ることを防止する滑り防止部材とを備える高さ固定器具を用いるコンクリート製品の高さ固定方法において、
上記コンクリート製品が配設される支持基盤を形成する工程と、
上記コンクリート製品の底面に埋設された上記挿入体の挿入孔に、上記支持部材のねじ部を螺合させる工程と、
上記支持部材が取り付けられた上記コンクリート製品を上記支持基盤から所定の高さに仮設置する工程と、
上記支持部材を回転操作し、上記挿入体に対して上記支持部材を進退させ、上記略円弧状の接触部を上記支持基盤又は当該支持基盤を形成した後、当該支持基盤上に配設されたベース板に点接触させ、上記コンクリート製品を支持させる工程と、
上記支持部材の他端部に配設され、上記接触部が上記支持基盤又は上記ベース板に対して滑ることを防止する上記滑り防止部材を回転操作し上記支持基盤又は上記ベース板に圧接させる工程とを備えるコンクリート製品の高さ固定方法。
【発明の詳細な説明】
【０００１】
【発明の属する技術分野】
本発明は、コンクリート製品の設置高さを固定するコンクリート製品の高さ固定器具及びこの高さ固定器具を用いたコンクリート製品の高さ固定方法に関する。
【０００２】
【従来の技術】
従来、歩道と車道を区画する歩車道境界壁等は、複数のコンクリート製の歩車道境界ブロックを歩車道境界壁を形成する領域に形成された支持基盤に並べて形成される。具体的には、先ず、歩車道境界を形成する領域を、整地し、歩車道境界ブロックを配設する支持基盤が形成される。この支持基盤は、歩車道境界ブロックを安定した状態で配設することができるように、コンクリートにより強固な平坦な面に形成される。この後、支持基盤には、歩車道境界ブロックを設置する高さを調整するため、設置面上に高さ調整モルタルが配設される。そして、歩車道境界を形成する歩車道境界ブロックは、高さ調整モルタル上に配設される。
【０００３】
【発明が解決しようとする課題】
ところで、以上のような施工方法は、支持基盤を形成した後、高さ調整モルタルを配設し、支持基盤に配設した高さ調整用モルタル上に歩車道境界ブロックを更に配設しなければならず、作業が非常に非効率であった。また、支持基盤の形成作業や、高さ調整用モルタルの配設作業は、歩車道境界壁の強度保証、外観を害さないようにするため、正確に行わなければならず、仕上げに熟練を要する作業であり、容易に行うことができなかった。
【０００４】
そこで、本発明は、容易にコンクリと製品の高さを調整し、固定することができるコンクリート製品の高さ固定器具及びコンクリート製品の高さ固定方法を提供することを目的とする。
【０００５】
【課題を解決するための手段】
本発明に係るコンクリート製品の高さ固定器具は、上述のような課題を解決すべく、コンクリート製品の底面に、一端に形成された挿入孔を外方に臨ませて埋設される挿入体と、一端にコンクリート製品に埋設された挿入体の挿入孔より螺入されるねじ部が形成され、他端に、上記コンクリート製品が配設される支持基盤又は支持基盤上に配設されたベース板に点接触される略円弧状の接触部が形成され、ねじ部と接触部との間に、回転操作することによりねじ部を挿入孔に対して進退させる回転操作部が形成され、コンクリート製品を支持する支持部材と、支持部材の他端部に配設され、接触部が支持基盤又はベース板に対して滑ることを防止する滑り防止部材とを備える。そして、支持部材は、ねじ部が挿入孔に螺合された状態で、回転操作されることにより、略円弧状の接触部が支持基盤又は支持基盤上に配設されたベース板に点接触され、次いで滑り防止部材が回転操作されることにより支持基盤又はベース板に圧接されて、コンクリート製品の高さを調整し固定する。
【０００６】
また、本発明に係るコンクリート製品の高さ固定方法は、コンクリート製品の底面に、一端に形成された挿入孔を外方に臨ませて埋設される挿入体と、一端に上記挿入孔より螺入されるねじ部が形成され、他端に上記コンクリート製品が設置される支持基盤又は支持基盤上に配設されたベース板に、点接触される略円弧状の接触部が形成され、ねじ部と支持基盤との間に、回転操作することによりねじ部を挿入孔に対して進退させる回転操作部が形成され、コンクリート製品を支持する支持部材と、支持部材の他端部に配設され、接触部が支持基盤又はベース板に対して滑ることを防止する滑り防止部材とを備える高さ固定器具を用いる。そして、本発明に係るコンクリート製品の高さ固定方法は、上述した課題を解決すべく、コンクリート製品が配設される支持基盤を形成する工程と、コンクリート製品の底面に埋設された挿入体の挿入孔に、支持部材のねじ部を螺合させる工程と、支持部材が取り付けられたコンクリート製品を支持基盤から所定の高さに仮設置する工程と、支持部材を回転操作し、挿入体に対して支持部材を進退させ、略円弧状の接触部を支持基盤又は支持基盤を形成した後、支持基盤上に配設されたベース板に点接触させ、コンクリート製品を支持させる工程と、支持部材の他端部に配設され、接触部が支持基盤又はベース板に対して滑ることを防止する滑り防止部材を回転操作し支持基盤又はベース板に圧接させる工程とを備える。
【０００７】
【発明の実施の形態】
以下、本発明が適用された歩車道境界ブロックの高さ固定器具及び高さ固定方法について、図面を参照して説明する。図１に示すように、この歩車道境界ブロック１は、車道２と歩道３との境界を形成する歩車道境界壁４を構成するブロックであり、略矩形状に形成されている。この歩車道境界ブロック１は、長手方向の相対向する端部の一方に、底面と連続して係合突起９ａが突設されており、他方に、係合突起９ａと係合する切欠部９ｂが形成されている。そして、本発明が適用された高さ固定器具は、係合突起９ａの基端部近傍の底面に埋設される。
【０００８】
歩車道境界ブロック１は、所定位置に設置されるとき、隣り合う歩車道境界ブロック１の係合突起９ａと切欠部９ｂとを係合させ、歩車道境界壁４を形成する領域に形成された支持基盤５上に、ベース板６を配設し、このベース板６上に高さ固定器具１０により支持されている。すなわち、歩車道境界ブロック１は、係合突起９ａ側が一対の高さ固定器具１０により支持され、切欠部９ｂ側が隣り合う歩車道境界ブロック１の係合突起９ａに係合支持されている。そして、歩車道境界ブロック１は、周囲にコンクリート７が型枠８内に充填されて、底面側がこのコンクリート７に埋設された状態で設置されている。
【０００９】
本発明が適用された高さ固定器具１０は、図１及び図２に示すように、歩車道境界ブロック１の底面に一端を臨ませて埋設される挿入体１１と、この挿入体１１に螺入され、歩車道境界ブロック１を支持する支持部材１２とを有する。
【００１０】
挿入体１１は、図２に示すように、金属等により形成され、全体が棒状に形成されている。挿入体１１は、支持部材１２が螺入できるように、長手方向に挿入孔１３が形成されている。挿入孔１３は、挿入体１１の一端側から他端側に亘って貫通して形成され、支持部材１２が挿入される一端側からは、支持部材１２が挿入され、他端側からは、内部に歩車道境界ブロック１を形成する際に、挿入孔１３内にコンクリートが進入することを防止する保護キャップ１４が取り付けられる。また、挿入孔１３の内周面には、支持部材１２を螺入できるようにねじ溝１５が形成されている。また、挿入体１１の外周面には、挿入体１１の長手方向に対して直交する方向に、凹凸部１６が形成されている。凹凸部１６は、挿入体１１の長手方向と直交する方向に形成されることで、歩車道境界ブロック１に埋設された挿入体１１が脱落することを防止している。
【００１１】
この挿入体１１に挿入される支持部材１２は、挿入孔１３に挿入できる径を有する棒状の部材であり、挿入体１１に挿入される一端側に、挿入孔１３に形成されたねじ溝１５に螺合されるねじ部１７が形成されている。ねじ部１７は、歩車道境界ブロック１を支持基盤５に設置する際に、歩車道境界ブロック１の支持基盤５からの高さを調整可能な長さに形成されている。
【００１２】
また、この支持部材１２には、その中程に、相対向して平面部を形成するように切り欠かれた回転操作部１８が形成されている。回転操作部１８は、支持部材１２を挿入体１１に対して進退させるように回転操作するため、支持部材１２を回転操作するためのスパナ、モンキー等の回転操作部材が係合される領域である。さらには、支持部材１２には、他端側の先端部がベース板６に点接触するように、略円弧状に接触部１９が形成されている。接触部１９は、略円弧状に形成することで、歩車道境界ブロック１をベース板６に仮設置し支持部材１２を回転させた際、ベース板６との摩擦抵抗を小さくすることができ、支持部材１２の回転を円滑に行うことができるようにしている。また、接触部１９は、略円弧状に形成することで、支持部材１２がずれることを防止している。なお、この先端部の形状は、ベース板６に点接触する形状であれば、略円弧状に限定されるものではなく、例えば先鋭状に形成されていても良い。
【００１３】
さらに、支持部材１２の他端部には、ねじ部２１が形成されている。ねじ部２１には、接触部１９がベース板６に対して滑ることを防止する滑り防止部材２２が螺合される。滑り防止部材２２は、ナット状に形成され、中央部に、ねじ部２１に取り付けるための取付穴２３が形成されている。また、滑り防止部材２２は、ベース板６との接触面積を大きくし、摩擦を大きくするため、ベース板６に当接される面が平坦に形成されている。ねじ部２１に螺合された滑り防止部材２２は、支持部材１２を回転操作し、歩車道境界ブロック１の高さ調整の後、ベース板６に圧接するように回転操作される。
【００１４】
そして、歩車道境界ブロック１は、以上のような高さ固定器具１０を用いて、次のように設置される。先ず、図１及び図３に示すように、歩車道境界ブロック１が設置される領域に配設される歩車道境界ブロック１には、内部に、一対の挿入体１１が挿入孔１３の一端を外方に臨ませて配設されている。ここで、一対の挿入体１１は、予め、歩車道境界ブロック１の係合突起９ａの基端部に、挿入孔１３の一端を外方に臨ませて埋設されている。そして、歩車道境界ブロック１に埋設された挿入体１１には、挿入孔１３に支持部材１２のねじ部１７が螺入され、支持部材１２が取り付けられている。このとき、ねじ部１７は、支持部材１２の歩車道境界ブロック１の底面からの突出量をできる限り小さくするように、挿入孔１３の内方に螺入されている。また、支持部材１２の他端側のねじ部２１には、滑り防止部材２２が取り付けられる。なお、支持部材１２は、予め歩車道境界ブロック１の設置する高さｈ分だけ突出させておいてもよい。これにより、後述する支持部材１２を回転操作する作業を簡素化することができる。
【００１５】
一方、図１及び図３に示すように、歩車道境界ブロック１が設置される領域には、基礎工事として、歩車道境界ブロック１の台座となる支持基盤５が形成される。この支持基盤５は、掘削を行わない基面整製を行った基盤、基礎採石を引き均した基盤、均しコンクリートを施した基盤等により形成される。すなわち、この支持基盤５は、上方に歩車道境界ブロック１を安定した状態で配設することができるように、平坦面で強固に形成される。
【００１６】
次いで、この支持基盤５上には、高さ固定器具１０の受け用のベース板６が配設される。このベース板６は、歩車道境界ブロック１を安定した状態で指示できるように、平坦な剛性を有する金属板により形成されている。そして、このベース板６上には、挿入体１１が埋設され支持部材１２が取り付けられた歩車道境界ブロック１が配設される。具体的に、歩車道境界ブロック１は、クレーン等の移送機構により吊り下げられ、歩車道境界ブロック１が設置される領域まで移送される。そして、歩車道境界ブロック１は、油圧ジャッキ等の仮設置機構によりベース板６から所定の高さｈに仮設置される。
【００１７】
歩車道境界ブロック１が仮設置されると、スパナ、モンキー等の回転操作部材を、ベース板６と歩車道境界ブロック１の底面との間の間隙より進入させ、回転操作部材を支持部材１２の回転操作部１８に係合させる。そして、回転操作部材により支持部材１２を回転操作することで、支持部材１２は、支持部材１２を挿入体１１より外方側に、接触部１９がベース板６に圧接されるまで突出される。ここで、接触部１９は、略円弧状に形成されてることから、支持基盤５との摩擦抵抗を小さくすることができ、支持部材１２の回転を円滑に行うことができるようにしている。また、接触部１９は、略円弧状に形成されていることから、接触点がずれることを防止しており、歩車道境界ブロック１が揺れることを防止している。なお、予め支持部材１２を高さｈ分だけ突出させておいた場合には、この支持部材１２の回転操作を省略することができ、歩車道境界ブロック１の高さｈを微調整するのみでよく、作業の簡素化を図ることができる。
【００１８】
この後、図４に示すように、支持部材１２のねじ部２１に予め取り付けられている滑り防止部材２２は、回転操作部材により回転操作されて、ベース板６に圧接される。この後、歩車道境界ブロック１を支持していた仮設置機構は、取り外され、歩車道境界ブロック１は、高さ固定器具１０により、ベース板６より所定の高さｈの位置に、高さが固定される。ここで、滑り防止部材２２は、ベース板６に圧接されていることから、ベース板６との摩擦が大きくなり、歩車道境界ブロック１がずれたり、揺れたりずれたりすることが防止できる。
【００１９】
かくして、高さ固定器具１０により支持された歩車道境界ブロック１の周囲には、木板や鋼等からなる型枠８が歩車道境界ブロック１を囲むように配設され、内側に、コンクリートが充填され、棒バイブレータ等で締め固めが行われる。
【００２０】
以上のような高さ固定器具１０を用いて歩車道境界ブロック１の高さを固定する場合には、従来のように高さ調整モルタルを支持基盤上に配設してから、歩車道境界ブロック１を配設する必要がないことから、作業に熟練を要する必要もなく、容易に高さを固定して設置することができ、作業効率の向上を図ることができる。
【００２１】
なお、以上、高さ固定器具１０の挿入体１１について、長手方向に貫通した挿入孔１３を有する場合について説明したが、挿入体１１は、保護キャップ１４が取り付けられる挿入孔１３の他端側を閉塞するように形成し、保護キャップ１４を用いない構成としてもよい。例えば、図５に示すように、挿入体３１は、挿入孔３２の他端側を閉塞して形成されている。
【００２２】
また、挿入体１１は、歩車道境界ブロック１の底面から脱落を防止するため、挿入体３６の他端側に脱落防止部を形成するようにしてもよい。すなわち、図６に示すように、挿入体３６は、挿入体３１と同様に、挿入孔３７の他端側を閉塞して形成するとともに、他端側が複数に枝分かれするように形成し、ここが脱落防止部３８となるように構成しても良い。図６中脱落防止部３８は、二股に形成されているが、更に多く枝分かれするように形成しても良い。
【００２３】
また、挿入体１１は、図７乃至図９に示すように、脱落防止部を形成しても良い。すなわち、図７乃至図９に示す挿入体４１，４３，４５は、歩車道境界ブロック１より脱落を防止する凹凸部１６を設けることなく、凹凸部１６の代わりに、挿入体４１，４３，４５の一端側より拡径して脱落防止部４２，４４，４６が形成されている。そして、これら挿入体４１，４３，４５には、脱落防止部４２，４４，４６が形成された他端側が閉塞した挿入孔４７が形成されている。図７乃至図９に示す挿入体４１，４３，４５は、以上のような構成により、上述した挿入体１１と同様な作用効果を得ることができる。
【００２４】
更にまた、上述した歩車道境界ブロック１について、図１に示すように、長手方向の相対向する端部の一方に、底面と連続して係合突起９ａを形成し、他方に、係合突起９ａと係合する切欠部９ｂを形成し、一方を高さ固定器具１０で支持し、他方を係合突起９ａで隣り合う歩車道境界ブロック１を支持する場合について説明したが、高さ固定器具１０で歩車道境界ブロック１の底面の各コーナ部を４点で支持するようにしてもよい。この場合、必ずしも係合突起９ａと切欠部９ｂを設ける必要はない。
【００２５】
更にまた、歩車道境界ブロック１を高さ固定器具１０で支持した後、型枠８を配設する場合について説明したが、例えば歩車道境界ブロック１を仮設置する前に予め型枠を配設するようにしてもよい。また、高さ固定器具１０により、歩車道境界ブロック１を確実に支持できるのであれば、必ずしもベース板６を支持基盤５との間に介在させる必要はなく、直接、支持基盤５上に支持させるようにしてもよい。
【００２６】
更にまた、本発明は、上述したような歩道境界ブロックの支持に限定されるものではなく、宅地、道路等の擁壁に用いられるＬ型擁壁ブロック、その他コンクリート二次製品及びコンクリートブロック等を支持することに用いても良い。
【００２７】
【発明の効果】
本発明によれば、コンクリート製品の底面に挿入孔を外方に臨ませて埋設された挿入体に、略円弧状の接触部が形成された支持部材を螺入し、コンクリート製品の仮設置後に、支持部材を回転操作し、略円弧状の接触部を支持基盤又は支持基盤上に配設されたベース板に点接触させ、次いで滑り防止部材を回転操作し支持基盤又はベース板に圧接させることで、コンクリート製品の高さを固定することができる。この際、接触部は、略円弧状に形成され、支持基盤又は支持基盤上に配設されたベース板に点接触されることから、支持基盤又はベース板との摩擦抵抗を小さくすることができ、支持部材の回転を円滑に行うことができ、また、接触点がずれることを防止し、コンクリート製品が揺れることを防止することができることから、コンクリート製品の高さ固定作業を容易に行うことができ、作業効率の向上を図ることができる。また、本発明によれば、略円弧状の接触部を支持基盤又は支持基盤上に配設されたベース板に点接触させ、次いで支持部材の他端部に配設された滑り防止部材を回転操作し支持基盤又はベース板に圧接させることで、接触部が支持基盤又はベース板に対して滑ることを防止することができる。
【図面の簡単な説明】
【図１】歩車道境界ブロックの設置状態を示す斜視図である。
【図２】高さ固定器具の斜視図である。
【図３】高さ固定器具が歩車道境界ブロックを支持している状態を示す断面図である。
【図４】歩車道境界ブロックの設置が完了した状態を示す断面図である。
【図５】上記高さ固定器具を構成する挿入体の他の例を示す斜視図である。
【図６】上記高さ固定器具を構成する挿入体の他の例を示す斜視図である。
【図７】上記高さ固定器具を構成する挿入体の他の例を示す斜視図である。
【図８】上記高さ固定器具を構成する挿入体の他の例を示す斜視図である。
【図９】上記高さ固定器具を構成する挿入体の他の例を示す斜視図である。
【符号の説明】
１  歩車道境界ブロック、１０  高さ固定器具、１１  挿入体、１２  支持部材、１３  挿入孔、１８  回転操作部、１９  接触部、２２  滑り防止部材
【図１】
0004117966.tif 000002
【図２】
0004117966.tif 000003
【図３】
0004117966.tif 000004
【図４】
0004117966.tif 000005
【図５】
0004117966.tif 000006
【図６】
0004117966.tif 000007
【図７】
0004117966.tif 000008
【図８】
0004117966.tif 000009
【図９】
0004117966.tif 000010